【手続補正書】
【提出日】平成18年9月5日(2006.9.5)
【手続補正１】
【補正対象書類名】特許請求の範囲
【補正対象項目名】全文
【補正方法】変更
【補正の内容】
【特許請求の範囲】
【請求項１】
クライアント識別子に対応づけてクライアント状態情報を記憶する管理装置に対し、一のクライアント識別子とクライアント状態情報の要求メッセージとを送信する送信ステップと、
当該要求メッセージに対する応答として前記管理装置からクライアント状態情報を受信する受信ステップと、
当該クライアント状態情報とともにアクセス要求メッセージをウェブサイトへ送信する送信ステップと、
前記ウェブサイトから、前記アクセス要求メッセージに対する応答メッセージと新たなクライアント状態情報とを受信する受信ステップと、
当該新たなクライアント状態情報の記憶要求メッセージを前記一のクライアント識別子とともに前記管理装置へ送信する送信ステップと
を備えることを特徴とするデータ通信方法。
【請求項２】
前記クライアント状態情報はクッキーであることを特徴とする請求項１に記載のデータ通信方法。
【請求項３】
送信手段と、受信手段と、前記送信手段と前記受信手段を制御する制御手段とを備えるクライアント装置であって、
前記制御手段は、前記送信手段を制御して、クライアント識別子に対応づけてクライアント状態情報を記憶する管理装置に対し、一のクライアント識別子とクライアント状態情報の要求メッセージとを送信し、
前記制御手段は、前記受信手段を制御して、前記要求メッセージに対する応答として前記管理装置からクライアント状態情報を受信し、
前記制御手段は、前記送信手段を制御して、前記クライアント状態情報とともにアクセス要求メッセージをウェブサイトへ送信し、
前記制御手段は、前記受信手段を制御して、前記ウェブサイトから、前記アクセス要求メッセージに対する応答メッセージと新たなクライアント状態情報とを受信し、
前記制御手段は、前記送信手段を制御して、前記新たなクライアント状態情報の記憶要求メッセージを前記一のクライアント識別子とともに前記管理装置へ送信する
ことを特徴とするクライアント装置。
【請求項４】
前記クライアント状態情報はクッキーであることを特徴とする請求項３に記載のクライアント装置。
【請求項５】
コンピュータに、
クライアント識別子に対応づけてクライアント状態情報を記憶する管理装置に対し、一のクライアント識別子とクライアント状態情報の要求メッセージとを送信する送信処理と、
当該要求メッセージに対する応答として前記管理装置からクライアント状態情報を受信する受信処理と、
当該クライアント状態情報とともにアクセス要求メッセージをウェブサイトへ送信する送信処理と、
前記ウェブサイトから、前記アクセス要求メッセージに対する応答メッセージと新たなクライアント状態情報とを受信する受信処理と、
当該新たなクライアント状態情報の記憶要求メッセージを前記一のクライアント識別子とともに前記管理装置へ送信する送信処理と
を実行させることを特徴とするプログラム。
【請求項６】
前記クライアント状態情報はクッキーであることを特徴とする請求項５に記載のプログラム。
【請求項７】
請求項５または６に記載のプログラムを記録するコンピュータが読み取り可能な記録媒体。
【請求項８】
クライアント識別子に対応づけてクライアント状態情報を記憶する記憶ステップと、
クライアント装置から、当該クライアント装置を使用するクライアントを識別する一のクライアント識別子とクライアント状態情報の要求メッセージとを受信する受信ステップと、
前記一のクライアント識別子に対応づけられて記憶されているクライアント状態情報を読み出し、前記クライアント装置へ送信する送信ステップと
を備えることを特徴とするクライアント状態情報管理方法。
【請求項９】
前記クライアント装置から、前記一のクライアント識別子とともに新たなクライアント状態情報の記憶要求メッセージを受信する受信ステップと、
当該新たなクライアント状態情報を前記一のクライアント識別子に対応づけて記憶する記憶ステップと
をさらに備えることを特徴とする請求項８に記載のクライアント状態情報管理方法。
【請求項１０】
前記クライアント状態情報はクッキーであることを特徴とする請求項８または９に記載のクライアント状態情報管理方法。
【請求項１１】
クライアント識別子に対応づけてクライアント状態情報を記憶する記憶手段と、
クライアント装置から、当該クライアント装置を使用するクライアントを識別する一のクライアント識別子とクライアント状態情報の要求メッセージとを受信する受信手段と、
前記一のクライアント識別子に対応づけられて記憶されているクライアント状態情報を読み出し、前記クライアント装置へ送信する送信手段と
を備えることを特徴とする管理装置。
【請求項１２】
前記受信手段はさらに、前記クライアント装置から、前記一のクライアント識別子とともに新たなクライアント状態情報の記憶要求メッセージを受信し、
前記記憶手段はさらに、前記新たなクライアント状態情報を前記一のクライアント識別子に対応づけて記憶する
ことを特徴とする請求項１１に記載の管理装置。
【請求項１３】
前記クライアント状態情報はクッキーであることを特徴とする請求項１１または１２に記載の管理装置。
【請求項１４】
クライアント装置から、当該クライアント装置を使用するクライアントを識別する一のクライアント識別子と、ウェブサイトに対するアクセス要求メッセージとを受信する受信ステップと、
クライアント識別子に対応づけてクライアント状態情報を記憶する管理装置に対し、前記一のクライアント識別子とともにクライアント状態情報の要求メッセージを送信する送信ステップと、
当該要求メッセージに対する応答として前記管理装置からクライアント状態情報を受信する受信ステップと、
当該受信したクライアント状態情報とともに前記アクセス要求メッセージを前記ウェブサイトへ送信する送信ステップと、
前記ウェブサイトから、前記アクセス要求メッセージに対する応答メッセージとともに新たなクライアント状態情報を受信する受信ステップと、
当該受信した新たなクライアント状態情報の記憶要求メッセージを前記一のクライアント識別子とともに前記管理装置へ送信する送信ステップと、
前記応答メッセージを前記クライアント装置へ送信する送信ステップと
を備えることを特徴とするデータ通信方法。
【請求項１５】
前記クライアント状態情報はクッキーであることを特徴とする請求項１４に記載のデータ通信方法。
【請求項１６】
受信手段と、送信手段と、前記受信手段と前記送信手段を制御する制御手段とを備えるプロキシ装置であって、
前記制御手段は、前記受信手段を制御して、クライアント装置から、当該クライアント装置を使用するクライアントを識別する一のクライアント識別子と、ウェブサイトに対するアクセス要求メッセージとを受信し、
前記制御手段は、前記送信手段を制御して、クライアント識別子に対応づけてクライアント状態情報を記憶する管理装置に対し、前記一のクライアント識別子とともにクライアント状態情報の要求メッセージを送信し、
前記制御手段は、前記受信手段を制御して、前記要求メッセージに対する応答として前記管理装置からクライアント状態情報を受信し、
前記制御手段は、前記送信手段を制御して、前記受信したクライアント状態情報とともに前記アクセス要求メッセージを前記ウェブサイトへ送信し、
前記制御手段は、前記受信手段を制御して、前記ウェブサイトから、前記アクセス要求メッセージに対する応答メッセージとともに新たなクライアント状態情報を受信し、
前記制御手段は、前記送信手段を制御して、前記受信した新たなクライアント状態情報の記憶要求メッセージを前記一のクライアント識別子とともに前記管理装置へ送信し、
前記制御手段は、前記送信手段を制御して、前記応答メッセージを前記クライアント装置へ送信する
ことを特徴とするプロキシ装置。
【請求項１７】
前記クライアント状態情報はクッキーであることを特徴とする請求項１６に記載のプロキシ装置。